(57)【要約】【課題】一度の輸送で廃材とされる部材をなくし、廃材処理に要する負担の軽減や省資源化の図れる器具輸送用パレットを提供すること。【解決手段】基台１と、基台１の両端部に伏せ倒し起立自在に固定した互いに対峙して直立する支持板２と、支持板２に摺動可能に支持された複数の支柱３と、支柱３に固定した支持ピン４と、支柱３を貫通する紐５及びチャック６とを有し、隣り合う支柱３の支持ピン４間にベルトを取り付け、輸送する器具の端部底面を支柱３間のベルト上に載せ、支柱３を幅寄せして輸送する器具の端部側面に当接し、紐５に取り付けたチャック６を移動して支柱３をその位置に固定して、輸送する器具の両端部をパレットに固定し、輸送後は対峙する両支持板２を基台１上に伏せ倒してベルトを含め全て回収し再利用する。【選択図】  図１
2004168384.tif 000002
【特許請求の範囲】
【請求項１】
基台と、前記基台の両端のそれぞれに前記基台に伏せ倒し起立自在に固定した互いに対峙して直立する支持板と、前記支持板のそれぞれに摺動可能に支持された複数の支柱と、前記支柱に固定した支持ピンと、前記支柱間の支持ピンに掛け渡すベルトと、前記支柱を貫通する紐とを有し、輸送する器具を前記対峙して直立する支持板間に配置し、前記器具の両端部を前記支持板と前記支柱および前記ベルトで固定するとともに、前記支柱を前記器具の端部側面に当接した位置に前記紐により固定してなることを特徴とする器具輸送用パレット。
【請求項２】
前記対峙して直立する支持板間の間隔を調節可能としてなることを特徴とする請求項１に記載の器具輸送用パレット。
【請求項３】
前記支柱に適宜間隔を隔てて複数の支持ピン固定孔を設け、選択した前記固定孔に前記支持ピンを着脱自在に固定してなることを特徴とする請求項１に記載の器具輸送用パレット。
【請求項４】
前記基台に脚輪を設けたことを特徴とする請求項１に記載の器具輸送用パレット。
【発明の詳細な説明】
【０００１】
【発明の属する技術分野】
本発明は、照明器具などの器具を輸送する器具輸送用パレットに関するものである。
【０００２】
【従来の技術】
照明器具などの器具を搬送する手段として、たとえば特開平６−２８６７５１号公報に示されているように、矩形状に形成した架台の四隅に折りたたみ可能の支柱を立て、隣り合う支柱間に支持桟を固定し、端部を緩衝部材で梱包した照明器具を対向する支持桟間に掛け渡して固定するようにした搬送用パレットが知られている。
【０００３】
【発明が解決しようとする課題】
しかし、このような搬送用パレットでは、回収時支柱を折りたたむことにより搬送用パレット自体の嵩を小さくして回収し再利用することができるが、器具の端部を梱包する緩衝部材を必要とするため、搬送時にその部材を用意したり、搬送後にその部材を廃棄処理する負担が大きいという問題がある。
【０００４】
本発明は、このような問題を解消すべくなされたもので、一度の輸送で廃材とされる部材をなくし、廃材処理に要する負担の軽減や省資源化の図れる器具輸送用パレットを提供することを目的とする。
【０００５】
【課題を解決するための手段】
請求項１に係る本発明は、器具輸送用パレットであって、基台と、前記基台の両端のそれぞれに前記基台に伏せ倒し起立自在に固定した互いに対峙して直立する支持板と、前記支持板のそれぞれに摺動可能に支持された複数の支柱と、前記支柱に固定した支持ピンと、前記支柱間の支持ピンに掛け渡すベルトと、前記支柱を貫通する紐とを有し、輸送する器具を前記対峙して直立する支持板間に配置し、前記器具の両端部を前記支持板と前記支柱および前記ベルトで固定するとともに、前記支柱を前記器具の端部側面に当接した位置に前記紐により固定してなることを特徴とする。
【０００６】
本発明では、輸送時には輸送する器具の長手方向は支持板で、左右方向は支柱で、上下方向は支持ピンに掛け渡したベルトにより固定し、輸送後は紐や支持ピンおよびベルトを纏めあるいは装着したまま支持板を基台に伏せ倒して回収することができるので、回収作業が簡単であるとともに、一度の輸送で廃材とされる部材を必要とせず、その分廃材処理に要する負担の軽減や省資源化を図ることができる。
【０００７】
請求項２に係る本発明は、請求項１に係る本発明において、対峙して直立する支持板間の間隔を調節可能としてなることを特徴とする。この特徴によって長さの異なる輸送する器具に対応することができる。請求項３に係る本発明は、請求項１に係る本発明において、支柱に適宜間隔を隔てて複数の支持ピン固定孔を設け、選択した前記固定孔に前記支持ピンを着脱自在に固定してなることを特徴とする。この特徴によって高さの異なる輸送する器具に対応することができる。請求項４に係る本発明は、請求項１に係る本発明において、基台に脚輪を設けたことを特徴とする。この特徴によって器具輸送用パレットの移動が容易となる。
【０００８】
【発明の実施の形態】
以下、本発明の実施の形態について図を参照して説明する。図１は本発明の実施の形態に係る器具輸送用パレットの全体の概略構成を示す斜視図である。図１において、１は基台、２は支持板、３は支柱、４は支持ピン、５は紐、６はチャック、７は軸受け（ブラケット）、８は軸である。基台１は矩形状をなし、ほぼ四隅の位置に軸受け７が固着され、各軸受け７に断面コ字状をなす枠２ａの下端部に固着した軸８が嵌められいる。支持板２は両側の端部が隣り合う枠２ａのコ字状の凹部に嵌め込まれ、枠２ａと共に起立し、基台１上へ伏せ倒し自在とされている。基台１の両側端部の支持板２は起立した状態で互いに対峙するとともに、基台１上に伏せ倒したとき、両側端部の支持板２は、図２に示すように互いに重ならないように構成されている。
【０００９】
各支持板２には、幅方向に伸びる長孔２ｂが形成され、この長孔２ｂに支柱３の背面に固定した摺動軸３ｂが貫通し抜け止めされている。すなわち支柱３は支持板２に沿って複数（図示例では４本）配置され、各支柱３は支持板２に、その幅方向に摺動可能に取り付けられている。紐５は各支柱３を貫通し、貫通した紐５にチャック６が固定されている。このチャック６は支柱３間に輸送する器具の端部を配置したとき、チャック６を緩めて紐５を伝って移動して支柱３に当接し、その位置で紐５に締め付け、これにより支柱３をその位置に固定する。なお、チャック６に替えて紐の結びで固定することも可能である。支柱３には、適宜間隔を隔てて複数の支持ピン固定孔３ｃが形成され、所定位置（各支柱３間で高さのほぼ等しい位置）の支持ピン固定孔３ｃに支持ピン４が着脱自在に固定されている。すなわち、輸送する器具の高さに応じて支持ピン固定孔３ｃを選択し、選択した支持ピン固定孔３ｃに支持ピン４を固定する。
【００１０】
以上のように構成した器具輸送用パレットで器具たとえば比較的長尺の照明器具を輸送する場合、図３に示すように、各支柱３の最下段に固定した支持ピン４間にベルト９を掛け渡し、図４に示すように、照明器具１０の長手方向の端部を支持板２の支柱３間に、その端面が支持板２に当接するようにして挿入し、照明器具１０の下端部をベルト９上に載置する。照明器具１０の長手方向の他端部も同様に他方の支持板２のベルト上に載置する。そして、図５に示すように、適宜照明器具１０の浮き上がりを防ぐバンド１１を照明器具１０の端部を囲繞して支持ピン４に固定する。この手順を繰り返して上段に積み重ね、紐５を張って支柱３を照明器具１０の端部側面に当接した位置に置き、チャック６を緩めて紐５を伝って移動して支柱３に当接させ、その位置で紐５に締め付け、これにより支柱３をその位置に固定しその状態で輸送する。
【００１１】
輸送後は逆の手順で照明器具７を取り外し、その後、図２に示すように支持板２を基台１上に伏せ倒し、支持板２を基台１上に伏せ倒した器具輸送用パレットを図６に示すように積み重ねて保管し、また積み重ねた状態で全てを回収して再利用する。なお、取り外したベルト９およびバンド１１は支持ピン４に巻きつけておくか、器具輸送用パレットの隙間に収納する。また、ベルト９およびバンド１１は弾性体で構成してもよいが、巻き取りおよび巻き出しにより伸縮させるようにしてもよい。
【００１２】
ところで、支持板２を高くすると支持板２を基台１上に伏せ倒したとき、両側の支持板２が重なり、一方の支持板２が傾斜して嵩高となり回収する器具輸送用パレットの扱いが面倒となるが、この場合、図７に示すように一方の支持板２を回動する軸受け（ブラケット）７に長孔７ａを形成し、この長孔７ａに支持板２（詳細には枠２ａ）に固着した回動軸８を嵌め込み、伏せ倒し時には支持板２（詳細には枠２ａ共）を持ち上げることで一方の支持板２の傾斜を解消することができる。また、支持ピン４を長くすると、支持ピン４を装着したまま支持板２を基台１上に伏せ倒したとき、支持ピン４の長さ分嵩高となるが、図８に示すように支持ピン４を基部４ａと先端部４ｂとに分け、先端部４ｂを基部４ａ内に収納する構成とすることにより支持ピン４の長さに起因する嵩高を解消することができる。
【００１３】
図１に示す実施の形態では、支持板２が基台１の端部位置に固定されているため、輸送する器具の長さが特定され、より長く又はより短い器具の輸送を行うことが困難である。図９は輸送する器具の異なる長さに対応することのできる器具輸送用パレットの側面図である。なお、図１ないし図８に示す実施の形態と同一部分には同一の符号を付し、その部分の詳細な説明はここでは省略する。図１に示す実施の形態と異なる点は、対峙する一方の支持板２を回動する軸受け７を、基台１上を摺動可能に取り付けた摺動板１２に固定した点である。
【００１４】
輸送する器具が長い場合、摺動板１２を他方の支持板２から離れる方向に摺動移動し、対峙する支持板２間を輸送する器具の長さに対応させ、その位置で摺動板１２を基台１にたとえばねじ締めにより固定する。また、輸送する器具が短い場合、摺動板１２を他方の支持板２に寄せる方向に摺動移動し、対峙する支持板２間を輸送する器具の長さに対応させ、その位置で摺動板１２を基台１にたとえばねじ締めにより固定する。この実施の形態では対峙する支持板２の一方を移動するものであるが、双方の支持板２を移動するようにしてもよい。この実施の形態に係る器具輸送用パレットでの輸送する器具の固定や輸送後支持板２を基台１上に伏せ倒して保管及び回収については、図１、図７、図８に示す実施の形態と同様であり、その説明は省略する。
【００１５】
なお、図１０に示すように器具輸送用パレットの底面に脚輪１３を設けると、器具輸送用パレットの移動を容易に行うことができる。
【００１６】
【発明の効果】
以上詳述したように本発明によれば、輸送する器具一個ごとにその両端部をパレットに確実に固定した状態で輸送することができるので、輸送途中における器具相互の接触などによる損傷を防止することができ、かつ、輸送に要する全ての部材を回収して再利用することができるので、器具の輸送コストの大幅な低減を図ることができる。
【図面の簡単な説明】
【図１】本発明の実施の形態に係る器具輸送用パレットの全体の概略構成を示す斜視図である。
【図２】図１に示す器具輸送用パレットを折りたたんだ状態を示す側面図である。
【図３】図１に示す器具輸送用パレットにおける器具固定の説明図である。
【図４】図１に示す器具輸送用パレットにおける器具固定の説明図である。
【図５】図１に示す器具輸送用パレットにおける器具固定の説明図である。
【図６】図１に示す器具輸送用パレットの積み重ね状態を示す側面図である。
【図７】本発明の他の実施の形態に係る器具輸送用パレットの側面図である。
【図８】本発明の他の実施の形態に係る支柱の部分斜視図である。
【図９】本発明の他の実施の形態に係る器具輸送用パレットの側面図である。
【図１０】本発明の他の実施の形態に係る器具輸送用パレットの側面図である。
【符号の説明】
１  基台
２  支持板
２ａ  枠
２ｂ  長孔
３  支柱
３ｂ  摺動軸
３ｃ  支持ピン固定孔
４  支持ピン
５  紐
６  チャック
７  軸受け
７ａ  長孔
８  軸
１３  脚輪
【図１】
2004168384.tif 000003
【図２】
2004168384.tif 000004
【図３】
2004168384.tif 000005
【図４】
2004168384.tif 000006
【図５】
2004168384.tif 000007
【図６】
2004168384.tif 000008
【図７】
2004168384.tif 000009
【図８】
2004168384.tif 000010
【図９】
2004168384.tif 000011
【図１０】
2004168384.tif 000012